(57)【要約】【課題】あらゆる状況においてその状況に対応した高い精度で体温測定を行うことが可能な信頼性の高い電子体温計を提供する。【解決手段】電子体温計１００は、測温部１１と、測温部１１により検出される第一の温度情報を用いて体温を測定する第一の体温測定部１４Ａと、測温部１２と、測温部１２により検出される第二の温度情報を用いて体温を測定する第二の体温測定部１４Ｂと、第一の温度情報と第二の温度情報との少なくとも一方に基づいて電子体温計１００の周囲の温度である環境温度を測定する環境温度測定部１４Ｄと、を備える。【選択図】図４
2013190207.tif 000002
【特許請求の範囲】
【請求項１】
被測定者の体温を測定する電子体温計であって、
温度情報を検出する第一の測温部と、
前記第一の測温部により検出される第一の温度情報を用いて前記体温を測定する第一の体温測定部と、
温度情報を検出する第二の測温部と、
前記第二の測温部により検出される第二の温度情報を用いて前記体温を測定する第二の体温測定部と、
前記第一の温度情報と前記第二の温度情報との少なくとも一方に基づいて前記電子体温計の周囲の温度である環境温度を測定する環境温度測定部と、を備える電子体温計。
【請求項２】
請求項１記載の電子体温計であって、
前記第一の温度情報に基づく環境温度と前記第二の温度情報に基づく環境温度とに基づいて、前記第一の体温測定部及び前記第二の体温測定部の動作を制御する体温測定制御部を備える電子体温計。
【請求項３】
請求項２記載の電子体温計であって、
前記体温測定制御部は、前記第一の温度情報に基づく環境温度の変化と前記第二の温度情報に基づく環境温度の変化とに応じて、前記第一の体温測定部による体温測定のみを許可するモード、前記第二の体温測定部による体温測定のみを許可するモード、前記第一の体温測定部及び前記第二の体温測定部のそれぞれによる体温測定を許可するモード、前記第一の体温測定部及び前記第二の体温測定部のそれぞれによる体温測定を不許可とするモードのいずれかを設定する電子体温計。
【請求項４】
請求項３記載の電子体温計であって、
前記第一の体温測定部及び前記第二の体温測定部のそれぞれによる体温測定を許可するモードにおいて、前記第一の体温測定部は、前記第一の温度情報と、前記第二の温度情報に基づく前記環境温度とを用いて体温を測定し、前記第二の体温測定部は、前記第二の温度情報と前記第一の温度情報に基づく前記環境温度とを用いて体温を測定する電子体温計。
【請求項５】
請求項４記載の電子体温計であって、
前記第一の体温測定部による体温測定のみを許可するモードにおいて、前記第一の体温測定部は、前記第二の温度情報に基づく前記環境温度を非使用とし、前記第一の測温部により検出される第一の温度情報に基づいて体温を測定する電子体温計。
【請求項６】
請求項４又は５記載の電子体温計であって、
前記第二の体温測定部による体温測定のみを許可するモードにおいて、前記第二の体温測定部は、前記第一の温度情報に基づく前記環境温度を非使用とし、前記第二の測温部により検出される第二の温度情報に基づいて体温を測定する電子体温計。
【請求項７】
請求項２記載の電子体温計であって、
前記体温測定制御部は、前記第一の温度情報に基づく前記環境温度と前記第二の温度情報に基づく前記環境温度との差が所定値以下のときに、前記第一の体温測定部及び前記第二の体温測定部のそれぞれによる体温測定を許可し、前記差が前記所定値を超えるときに、前記第一の体温測定部及び前記第二の体温測定部のそれぞれによる体温測定を禁止する電子体温計。
【請求項８】
請求項７記載の電子体温計であって、
前記体温測定制御部は、前記差が所定値以下となるか否かの判定を、前記電子体温計の電源が投入されてから所定時間経過後と、前記第一の体温測定部及び前記第二の体温測定部のいずれかにより体温測定が行われてから所定時間経過後のタイミングで行う電子体温計。
【請求項９】
請求項１〜８のいずれか１項記載の電子体温計であって、
前記第一の測温部と前記第二の測温部は、それぞれ異なる性能のものである電子体温計。
【請求項１０】
請求項１〜９のいずれか１項記載の電子体温計であって、
前記第一の測温部は、接触式の測温部であり、
前記第二の測温部は、物体から放射される赤外線を検出するセンサを含む非接触式の測温部であり、
前記電子体温計の周囲の温度と略同じ温度となる部材で構成され、外部から入射してくる赤外線を遮断する位置と、前記外部から入射してくる赤外線を前記センサまで到達させうる位置との間で移動可能な部材とを備え、
前記環境温度測定部は、前記赤外線を遮断する位置に前記部材が移動した状態で当該部材から放射される赤外線を前記センサにより検出して得られる温度情報から前記環境温度を測定する電子体温計。
【発明の詳細な説明】
【技術分野】
【０００１】
本発明は、電子体温計に関する。
【背景技術】
【０００２】
従来の体温計として、体温測定用の温度センサ以外に、周囲の温度を測定するための別の温度センサを設けているものがある（例えば特許文献１〜３参照）。
【０００３】
特許文献１には、接触型の体温計において、体温測定用の第一の温度センサとは別に被検者の測定部位近傍の雰囲気温度を測定するための第二の温度センサを設けたものが記載されている。
【０００４】
特許文献２には、赤外線センサと、赤外線センサ周囲の温度を検出する第一のセンサと、第一のセンサとは別に周囲の温度を検出する第二のセンサとを備え、第一のセンサと第二のセンサの検出温度に基づいて環境変動を判定し、その判定結果に応じて体温測定を禁止する体温計が記載されている。
【０００５】
特許文献３には、赤外線体温計において、環境温度を測定するための２つの温度センサを設けたものが記載されている。
【０００６】
また、体温測定用の温度センサを複数有する電子体温計も提案されている（例えば特許文献４，５参照）。
【０００７】
特許文献４には、赤外線センサ及び赤外線センサの基準温度測定用のサーミスタを用いて体温を測定する体温計において、基準温度測定用のサーミスタのみを用いて体温を測定できる構成が記載されている。
【０００８】
特許文献５には、２つの温度センサを先端部に有し、各温度センサの検出温度に基づいて体温を測定できる接触式体温計が記載されている。
【先行技術文献】
【特許文献】
【０００９】
【特許文献１】特開２００３−２５４８３６号公報
【特許文献２】特開２００３−５２６４４号公報
【特許文献３】特表２００８−５３８９６５号公報
【特許文献４】特開２０００−１２６１３６号公報
【特許文献５】国際公開０７／１３８６９９号公報
【発明の概要】
【発明が解決しようとする課題】
【００１０】
特許文献１〜３に記載の体温計では、環境温度を測定するための温度センサが故障していたり、その温度センサからの情報によって測定される環境温度が大きく変動していたりする状態で体温測定を行ってしまうと、体温測定精度が低下してしまう。特許文献２に記載の体温計は、環境温度の変動に応じて体温測定を行わないようにしているが、これでは体温測定を直ぐに行えない状況が発生してしまう。
【００１１】
特許文献４，５に記載の体温計のように、複数の温度センサを有していれば、いずれかの温度センサが故障していても、他の温度センサによって温度情報を検出することができるため、体温測定ができなくなる可能性を減らすことができる。しかし、温度センサが故障していなくても、温度センサ自体の温度が安定していない状態で体温測定が行われると、体温測定精度が低下してしまう。
【００１２】
本発明は、上記事情に鑑みてなされたものであり、あらゆる状況においてその状況に対応した高い精度で体温測定を行うことが可能な信頼性の高い電子体温計を提供することを目的とする。
【課題を解決するための手段】
【００１３】
本発明の電子体温計は、被測定者の体温を測定する電子体温計であって、温度情報を検出する第一の測温部と、前記第一の測温部により検出される第一の温度情報を用いて前記体温を測定する第一の体温測定部と、温度情報を検出する第二の測温部と、前記第二の測温部により検出される第二の温度情報を用いて前記体温を測定する第二の体温測定部と、前記第一の温度情報と前記第二の温度情報との少なくとも一方に基づいて前記電子体温計の周囲の温度である環境温度を測定する環境温度測定部と、を備えるものである。
【発明の効果】
【００１４】
本発明によれば、あらゆる状況においてその状況に対応した高い精度で体温測定を行うことが可能な信頼性の高い電子体温計を提供することができる。
【図面の簡単な説明】
【００１５】
【図１】本発明の一実施形態を説明するための電子体温計１００を示す外観斜視図
【図２】図１に示す電子体温計１００の分解斜視図
【図３】図１に示す電子体温計１００の構成を示すブロック図
【図４】図１に示す電子体温計１００における制御部１４の要部機能ブロックを示した図
【図５】図１に示す電子体温計１００の動作を説明するためのフローチャート
【図６】図１に示す電子体温計１００の動作の変形例を説明するためのフローチャート
【図７】図１に示す電子体温計１００の変形例である電子体温計１００Ａを示す外観斜視図
【図８】図７に示す電子体温計１００ＡのＶＩＩＩ−ＶＩＩＩ線断面を示す図
【図９】図７に示す電子体温計１００Ａの構成を示すブロック図
【図１０】図１に示す電子体温計１００の変形例である電子体温計１００Ｂを示す外観斜視図
【発明を実施するための形態】
【００１６】
以下、本発明の実施形態について図面を参照して説明する。
【００１７】
図１は、本発明の一実施形態を説明するための電子体温計１００を示す外観斜視図である。図２は、図１に示す電子体温計１００の分解斜視図である。
【００１８】
電子体温計１００は、ケース１０、測温部１１、測温部１２、表示部１７、操作部１８、及びサブアセンブリ３５（図２参照）を備える。
【００１９】
ケース１０は、射出成形により中空筒状に形成された熱可塑性の樹脂材料等からなる。樹脂材料としては、例えばＡＢＳ（アクリロニトリル−ブタジエン−スチレン共重合体）樹脂等が挙げられる。ケース１０の表面の所定位置には、表示部１７及び操作部１８が設けられる。
【００２０】
測温部１１は、ケース１０の先端に設けられ、体温測定時に、例えば被測定者の腋下又は舌下等に挟み込まれる。測温部１１は、被測定者の体温を測定するために用いられると共に、電子体温計１００の周囲の温度（環境温度）を測定するためにも用いられる。
【００２１】
測温部１１は、キャップ２１及びサーミスタ３１を含んで構成される。
【００２２】
キャップ２１は、ケース１０の先端を閉塞するように設けられる。キャップ２１は、例えばステンレス合金等の金属材料により有底筒状に構成される。
【００２３】
サーミスタ３１は、リード線３３を通じて図示しない制御回路基板に接続される。サーミスタ３１は、サブアセンブリ３５がケース１０内に挿入されて電子体温計１００が組み立てられた状態において、キャップ２１内に配置される。
【００２４】
測温部１２は、ケース１０の後端に設けられ、体温測定時に、例えば被測定者の額又はこめかみ等に押し当てられる。測温部１２は、被測定者の体温を測定するために用いられると共に、電子体温計１００の周囲の温度（環境温度）を測定するためにも用いられる。
【００２５】
測温部１２は、キャップ２２、カバー部材２３、及びサーミスタ３２を含んで構成される。
【００２６】
キャップ２２は、ケース１０の後端（開口部１０Ｈ）を閉塞するように設けられる。キャップ２２は、例えば軟性及び弾性のあるシリコンゴム等の材料により構成される。
【００２７】
カバー部材２３は、ステンレス合金等の金属材料から構成される。カバー部材２３は、キャップ２２の表面に露出している。
【００２８】
サーミスタ３２は、リード線３４を通じて図示しない制御回路基板に接続される。サーミスタ３２は、電子体温計１００が組み立てられた状態において、キャップ２２内に配置されると共に、カバー部材２３に所定の圧接力で接触する。
【００２９】
サブアセンブリ３５は、図２中の矢印に示すように、開口部１０Ｈを通してケース１０内に配置される。サブアセンブリ３５に組みつけられる各種部品は、表示部１７を構成する表示パネル、操作部１８を構成する操作スイッチ、報知部１６を構成するブザー、及び所定の処理回路（後述する制御部１４）等を含む。
【００３０】
図３は、図１に示す電子体温計１００の構成を示すブロック図である。
【００３１】
電子体温計１００は、前述した測温部１１、測温部１２、報知部１６、表示部１７、及び操作部１８の他に、制御部１４、メモリ部１５、及び電源部１９を備える。
【００３２】
制御部１４は、例えばＣＰＵ（Ｃｅｎｔｒａｌ  Ｐｒｏｃｅｓｓｉｎｇ  Ｕｎｉｔ）を含む回路から構成される。制御部１４は電子体温計１００の全体を統括制御する。
【００３３】
メモリ部１５は、例えばＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）等から構成される。メモリ部１５は、体温測定のための処理手順を制御部１４等に実行させるためのプログラムを記憶したり、測定結果を記憶したりする。
【００３４】
報知部１６は、例えばブザーにより構成され、体温測定が終了したこと、使用者の操作を受け付けたこと等を使用者に知らせる。
【００３５】
表示部１７は、例えばＬＣＤ（Ｌｉｑｕｉｄ  Ｃｒｙｓｔａｌ  Ｄｉｓｐｌａｙ）等の表示パネルから構成され、体温測定結果等を表示する。
【００３６】
操作部１８は、被測定者による操作を受け付けてこの外部からの命令を制御部１４及び電源部１９に入力する。
【００３７】
電源部１９は、例えばボタン電池等により構成され、制御部１４を介して各部に電力を供給する。
【００３８】
図４は、図１に示す電子体温計１００における制御部１４の要部機能ブロックを示した図である。図４に示した制御部１４の各機能ブロックは、制御部１４内のＣＰＵがプログラムを実行することにより実現される機能である。
【００３９】
図４に示すように、制御部１４は、第一の体温測定部１４Ａ、第二の体温測定部１４Ｂ、環境温度測定部１４Ｄ、及び体温測定動作制御部１４Ｃを備える。
【００４０】
環境温度測定部１４Ｄは、測温部１１によって検出される温度情報と、測温部１２によって検出される温度情報との少なくとも一方に基づいて、環境温度を測定する。
【００４１】
具体的には、環境温度測定部１４Ｄは、測温部１１によって検出される温度情報を温度値に変換し、当該温度値を、環境温度（以下、Ｔｓという）として第二の体温測定部１４Ｂ及び体温測定動作制御部１４Ｃに出力する。また、環境温度測定部１４Ｄは、測温部１２によって検出される温度情報を温度値に変換し、当該温度値を、環境温度（以下、Ｔｙという）として第一の体温測定部１４Ａ及び体温測定動作制御部１４Ｃに出力する。
【００４２】
第一の体温測定部１４Ａは、測温部１１によって検出される温度情報を用いて、予測式により被測定者の体温を測定する。予測式とは、被測定部と熱的な平衡状態が得られる前に、所定の演算によって平衡状態における温度を推定した温度推定値を体温測定結果として求める方式である。
【００４３】
第一の体温測定部１４Ａは、予測式により決定した体温を、環境温度測定部１４Ｄから出力される環境温度Ｔｙを用いて補正する補正処理を選択的に行う。この補正処理を行うことにより、体温測定の精度を向上させることができる。
【００４４】
第二の体温測定部１４Ｂは、測温部１２によって検出される温度情報を用いて、予測式により被測定者の体温を測定する。電子体温計１００においては、第二の体温測定部１４Ｂが、第一の体温測定部１４Ａよりも早い時間で体温を測定するために、測温部１２を構成するサーミスタ３２と、測温部１１を構成するサーミスタ３１とには性能差を設けてある。例えば、サーミスタ３１については通常タイプのものを用い、サーミスタ３２については温度に対する応答性が通常タイプよりも速いチップタイプのものを用いる。
【００４５】
第二の体温測定部１４Ｂは、予測式により決定した体温を、環境温度測定部１４Ｄから出力される環境温度Ｔｓを用いて補正する補正処理を選択的に行う。この補正処理を行うことにより、体温測定の精度を向上させることができる。
【００４６】
体温測定動作制御部１４Ｃは、環境温度測定部１４Ｄから出力される環境温度Ｔｓと環境温度Ｔｙに基づいて、第一の体温測定部１４Ａと第二の体温測定部１４Ｂの動作を制御する。
【００４７】
次に、以上のように構成された電子体温計１００の動作を説明する。
【００４８】
図５は、図１に示す電子体温計１００の動作を説明するためのフローチャートである。
【００４９】
操作部１８が操作されて電子体温計１００の電源がＯＮになると、環境温度測定部１４Ｄは、測温部１１によって検出される温度情報から環境温度Ｔｓを測定し、測温部１２によって検出される温度情報から環境温度Ｔｙを測定し、その後、所定時間（図５の例では１秒）待機する（ステップＳ１）。
【００５０】
次に、環境温度測定部１４Ｄは、再び、測温部１１，１２から得られる温度情報により、環境温度Ｔｓ，Ｔｙを測定する（ステップＳ２）。
【００５１】
次に、体温測定動作制御部１４Ｃは、ステップＳ２で測定された環境温度Ｔｓと、ステップＳ１で測定された環境温度Ｔｓ（（Ｔｓ−１）とする）との差分（｜Ｔｓ−（Ｔｓ−１）｜）を算出する。また、体温測定動作制御部１４Ｃは、ステップＳ２で測定された環境温度Ｔｙと、ステップＳ１で測定された環境温度Ｔｙ（（Ｔｙ−１）とする）との差分（｜Ｔｙ−（Ｔｙ−１）｜）を算出する（ステップＳ３）。
【００５２】
そして、｜Ｔｓ−（Ｔｓ−１）｜と｜Ｔｙ−（Ｔｙ−１）｜がそれぞれ所定値（図５の例では０．１℃）よりも大きい場合（ステップＳ４：ＹＥＳ）、体温測定動作制御部１４Ｃは、カウント値を初期値から１つ増やす（ステップＳ５）。
【００５３】
カウント値が閾値を超えていなければ（ステップＳ５：ＮＯ）再びステップＳ１の処理が行われ、カウント値が閾値を超えていれば（ステップＳ５：ＹＥＳ）ステップＳ６の処理が行われる。
【００５４】
この閾値は、電子体温計１００の置かれる環境に変化があった場合や、測温部１１と測温部１２のいずれかが体温測定に用いられた場合に、環境温度や測温部１１，１２自体の温度が安定するまでに要する時間に相当する値であり、経験的に決められる。
【００５５】
電源投入から所定時間経過していても、｜Ｔｓ−（Ｔｓ−１）｜と｜Ｔｙ−（Ｔｙ−１）｜がそれぞれ所定値よりも大きい（ステップＳ６：ＹＥＳ）ということは、環境温度Ｔｓと環境温度Ｔｙがそれぞれ所定時間たっても大きく変動していることを意味する。
【００５６】
つまり、このような場合には、測温部１１と測温部１２の両方が故障している可能性が高く、第一の体温測定部１４Ａによる体温測定結果と、第二の体温測定部１４による体温測定結果とは、いずれも信頼性が低下する。
【００５７】
そのため、体温測定動作制御部１４Ｃは、ステップＳ６において、第一の体温測定部１４Ａと第二の体温測定部１４Ｂのそれぞれによる体温測定を不許可（禁止）とし、表示部１７にエラー情報を表示させる（ステップＳ７）。
【００５８】
エラー情報は、例えば「センサが故障しているため体温測定を行うことができません」「センサの温度が安定していないため体温測定を行うことができません」といった文章である。
【００５９】
ステップＳ３において算出した｜Ｔｓ−（Ｔｓ−１）｜及び｜Ｔｙ−（Ｔｙ−１）｜の両方が上記所定値以下である場合（ステップＳ９：ＹＥＳ）は、測温部１１と測温部１２のいずれも正常に動作していると判断できるため、第一の体温測定部１４Ａによる体温測定結果と、第二の体温測定部１４による体温測定結果は、いずれも信頼性が高くなる。
【００６０】
そのため、ステップＳ９：ＹＥＳのとき、体温測定動作制御部１４Ｃは、第一の体温測定部１４Ａと第二の体温測定部１４Ｂのそれぞれによる体温測定を許可するモードを設定し（ステップＳ１０）、測定待機状態に移る。
【００６１】
｜Ｔｓ−（Ｔｓ−１）｜が上記所定値より大きく、｜Ｔｙ−（Ｔｙ−１）｜が上記所定値以下である場合（ステップＳ１１：ＹＥＳ）は、第一の体温測定部１４Ａによる体温測定結果よりも、第二の体温測定部１４Ｂによる体温測定結果の方が信頼性が高くなると判断することができる。
【００６２】
そのため、ステップＳ１１：ＹＥＳのとき、体温測定動作制御部１４Ｃは、第二の体温測定部１４Ｂによる体温測定のみを許可するモードを設定し（ステップＳ１２）、測温部１２を用いた体温測定のみが可能であることを示すメッセージを表示部１７に表示させて、測定待機状態に移る。
【００６３】
｜Ｔｓ−（Ｔｓ−１）｜が上記所定値以下であり、｜Ｔｙ−（Ｔｙ−１）｜が上記所定値より大きい場合（ステップＳ１１：ＮＯ）は、第二の体温測定部１４Ｂによる体温測定結果よりも、第一の体温測定部１４Ａによる体温測定結果の方が信頼性が高くなると判断することができる。
【００６４】
そのため、ステップＳ１１：ＮＯのとき、体温測定動作制御部１４Ｃは、第一の体温測定部１４Ａによる体温測定のみを許可するモードを設定し（ステップＳ１３）、測温部１１を用いた体温測定のみが可能であることを示すメッセージを表示部１７に表示させて、測定待機状態に移る。
【００６５】
ステップＳ１０の後の測定待機状態において、第一の体温測定部１４Ａによる体温測定の指示がなされた場合、第一の体温測定部１４Ａは、測温部１１により検出される温度情報を用いて予測式により体温を決定する。そして、第一の体温測定部１４Ａは、決定した体温を、環境温度測定部１４Ｄから出力された環境温度Ｔｙを用いて補正し、補正後の値を体温測定結果として表示部１７に出力する。
【００６６】
ステップＳ１０の後の測定待機状態において、第二の体温測定部１４Ｂによる体温測定の指示がなされた場合、第二の体温測定部１４Ｂは、測温部１２により検出される温度情報を用いて予測式により体温を決定する。そして、第二の体温測定部１４Ｂは、決定した体温を、環境温度測定部１４Ｄから出力された環境温度Ｔｓを用いて補正し、補正後の値を体温測定結果として表示部１７に出力する。
【００６７】
ステップＳ１２の後の測定待機状態において体温測定の指示がなされた場合、第二の体温測定部１４Ｂは、測温部１２により検出される温度情報を用いて予測式により体温を決定し、決定した体温を体温測定結果として表示部１７に出力する。
【００６８】
ステップＳ１１：ＹＥＳのときは、測温部１１により検出される温度情報に基づく環境温度Ｔｓの信頼性が低い。このため、予測式により決定した体温を、環境温度Ｔｓを用いて補正しないことで、体温測定結果の信頼性を高めている。
【００６９】
ステップＳ１３の後の測定待機状態において体温測定の指示がなされた場合、第一の体温測定部１４Ａは、測温部１１により検出される温度情報を用いて予測式により体温を決定し、決定した体温を体温測定結果として表示部１７に出力する。
【００７０】
ステップＳ１１：ＮＯのときは、測温部１２により検出される温度情報に基づく環境温度Ｔｙの信頼性が低い。このため、予測式により決定した体温を、環境温度Ｔｙを用いて補正しないことで、体温測定結果の信頼性を高めている。
【００７１】
測定待機状態になってから、第一の体温測定部１４Ａと第二の体温測定部１４Ｂのいずれかによって体温測定が行われた後は、再びステップＳ１以降の処理が行われる。
【００７２】
以上のように、電子体温計１００は、体温測定のために用いる測温部１１，１２を環境温度測定のためにも用いる構成である。このため、測温部１１，１２により検出される温度情報に基づく環境温度に応じて、図５に示したように、信頼性の高い体温測定結果を出力できる体温測定部だけを使用可能にする制御を行うことができる。
【００７３】
したがって、測温部１１や測温部１２に故障が発生していたり、測温部１１や測温部１２自体の温度やその周辺温度が安定していなかったりする状態でも、その状態における最も高い精度で体温を測定できるようになり、信頼性の高い電子体温計を提供することができる。
【００７４】
また、電子体温計１００によれば、体温測定の精度を向上させるために必要な環境温度を測定するための測温部を、体温測定ための測温部とは別に設ける必要がない。このため、電子体温計１００の製造コストの削減、コンパクト化を実現することができる。
【００７５】
図６は、図１に示す電子体温計１００の動作の変形例を説明するためのフローチャートである。
【００７６】
操作部１８が操作されて電子体温計１００の電源がＯＮになり、所定時間が経過すると（ステップＳ２０：ＹＥＳ）、環境温度測定部１４Ｄは、測温部１１によって検出される温度情報から環境温度Ｔｓを測定し、測温部１２によって検出される温度情報から環境温度Ｔｙを測定する（ステップＳ２１）。
【００７７】
この所定時間は、電子体温計１００の置かれる環境に変化があった場合や、測温部１１と測温部１２のいずれかが体温測定に用いられた場合に、測温部１１，１２自体の温度や環境温度が安定するまでに要する時間であり、経験的に決められる。
【００７８】
次に、体温測定動作制御部１４Ｃは、ステップＳ２１で測定された環境温度Ｔｓと環境温度Ｔｙとの差分（｜Ｔｓ−Ｔｙ｜）を算出し、｜Ｔｓ−Ｔｙ｜を閾値Ｔｈ１と比較する（ステップＳ２２）。
【００７９】
測温部１１と測温部１２は、性能や構造は異なるものの、故障が発生していなければ、上記の所定時間経過後において環境温度Ｔｓと環境温度Ｔｙはほぼ同じ値になる。所定時間経過したにもかかわらず、｜Ｔｓ−Ｔｙ｜が大きいということは、測温部１１と測温部１２の少なくとも一方が故障していると考えられる。
【００８０】
上記閾値Ｔｈ１は、このような測温部１１及び測温部１２の故障を判定するために設定する閾値であり、体温の測定精度の許容範囲に応じて適当な値を設定する。
【００８１】
｜Ｔｓ−Ｔｙ｜＞Ｔｈ１のとき（ステップＳ２２：ＹＥＳ）、体温測定動作制御部１４Ｃは、第一の体温測定部１４Ａと第二の体温測定部１４Ｂのそれぞれによる体温測定を不許可（禁止）とし、表示部１７にエラー情報を表示させる（ステップＳ２３）。
【００８２】
｜Ｔｓ−Ｔｙ｜≦Ｔｈ１のとき（ステップＳ２２：ＮＯ）、体温測定動作制御部１４Ｃは、第一の体温測定部１４Ａと第二の体温測定部１４Ｂのそれぞれによる体温測定を許可し（ステップＳ２４）、測定待機状態に移る。
【００８３】
測定待機状態に移った後、第一の体温測定部１４Ａ又は第二の体温測定部１４Ｂにより体温測定が行われた場合（ステップＳ２５：ＹＥＳ）は、ステップＳ２０に処理が戻り、所定時間が経過した時点で、再び、測温部１１及び測温部１２の故障判定が行われる。
【００８４】
以上のように、電子体温計１００によれば、体温測定のために用いる測温部１１，１２を環境温度測定のためにも用いる構成であるため、測温部１１，１２により検出される温度情報に基づく環境温度の差に基づいて、測温部１１及び測温部１２の故障判定を行うこともできる。
【００８５】
したがって、測温部１１と測温部１２のいずれか又は両方が故障している場合に、第一の体温測定部１４Ａ又は第二の体温測定部１４Ｂによって不正確な体温測定がなされてしまうのを防ぐことができ、体温計の信頼性を高めることができる。
【００８６】
ここまでは、測温部１１と測温部１２がいずれも被測定者の任意の部位に対して接触して温度情報を検出する接触式の測温部として説明した。しかし、測温部１２を非接触式の測温部としてもよい。
【００８７】
図７は、図１に示す電子体温計１００の変形例である電子体温計１００Ａを示す外観斜視図である。
【００８８】
電子体温計１００Ａは、測温部１２の代わりに測温部１２Ａを備える点を除いては、電子体温計１００と同じ構成である。
【００８９】
測温部１２Ａは、被測定者の測定対象部位から放射される赤外線に応じた電気信号を検出温度情報として出力するものである。測温部１２Ａは、測温部１２と同様に、電子体温計１００Ａの周囲の環境温度を測定するためにも利用される。
【００９０】
測温部１２Ａは、キャップ２２Ａ、キャップ２２Ａの中央部に埋め込まれた集光レンズ２４、及びケース１０に内蔵された赤外線センサ部（図示せず）を含んで構成される。
【００９１】
赤外線センサ部は、赤外線を検出してこれに応じた電気信号を出力する赤外線センサと、当該赤外線センサの周囲の温度（基準温度）を検出する基準温度センサを含む。
【００９２】
赤外線センサ部に含まれる赤外線センサは、集光レンズ２４と対向する位置に配置され、被測定部位から放射され集光レンズ２４により集光された赤外線を検出する。
【００９３】
図８は、図７に示す電子体温計１００ＡのＶＩＩＩ−ＶＩＩＩ線断面を示す図である。
【００９４】
図８のＦＩＧ８Ａに示すように、ケース１０内部には、集光レンズ２４と対向する位置に赤外線センサ２６が設けられている。また、ケース１０の内部には、赤外線センサ２６と集光レンズ２４との間に出し入れ可能なカバー部材２５が設けられている。
【００９５】
カバー部材２５は、ケース１０内に設けられる後述するカバー駆動モータによってキャップ２２Ａの長手方向に移動可能になっている。このカバー部材２５は、電子体温計１００Ａの置かれている環境の温度と限りなく同一の温度（略同一温度）となるような薄い金属板等で構成される。
【００９６】
図８のＦＩＧ８Ｂは、ＦＩＧ８Ａの状態からカバー部材２５が移動して、集光レンズ２４と赤外線センサ２６との間にカバー部材２５が挿入された状態を示している。この状態において、赤外線センサ２６は、カバー部材２５から放射される赤外線を検出する。
【００９７】
一方、ＦＩＧ８Ａに示すように、カバー部材２５が集光レンズ２４と赤外線センサ２６との間から完全に退避させられると、赤外線センサ２６は、集光レンズ２４によって集光された外部からの赤外線を検出することができるようになる。
【００９８】
図９は、図７に示す電子体温計１００Ａの構成を示すブロック図である。
【００９９】
図９は、測温部１２を測温部１２Ａに変更し、カバー駆動モータ２０と図８に示したカバー部材２５を追加した点を除いては、図３に示したものと同じである。
【０１００】
カバー駆動モータ２０は、カバー部材２５を移動させるためのモータであり、制御部１４からの指令によってカバー部材２５の位置を制御する。
【０１０１】
電子体温計１００Ａの制御部１４は、環境温度測定部１４Ｄが測温部１２Ａを用いて環境温度を測定する際には、カバー駆動モータ２０を制御して、カバー部材２５をＦＩＧ８Ｂに示す状態にする。ＦＩＧ８Ｂに示す状態になることで、環境温度測定部１４Ｄは、測温部１２Ａにより検出される温度情報（カバー部材２５の温度に相当）から環境温度Ｔｙを測定することができる。
【０１０２】
また、制御部１４は、第二の体温測定部１４Ｂによって体温測定を行う場合には、カバー駆動モータ２０を制御して、カバー部材２５をＦＩＧ８Ａに示す状態にする。ＦＩＧ８Ａに示す状態になることで、第二の体温測定部１４Ｂは、測温部１２Ａにより検出される温度情報（被測定者の測定部位の温度に相当）から体温を測定することができる。
【０１０３】
以上のような構成の電子体温計１００Ａであっても、電子体温計１００と同様の効果を得ることができる。
【０１０４】
電子体温計１００Ａでは、ケース１０内のカバー部材２５を移動させることで、赤外線センサ２６によりカバー部材２５の温度（＝環境温度）を測定できるようにしたが、この構成は一例であり、非接触式の測温部によって環境温度を測定できる構成であれば何でもよい。
【０１０５】
例えば、特開平４−２００５２６号公報に記載されているように、電子体温計１００Ａのケース１０に集光レンズ２４に対応する孔を有するカバーを取り付け、カバーを押圧することで、集光レンズ２４がカバーによって隠されて、このカバーから放射される赤外線を赤外線センサによって検出できるようにしてもよい。
【０１０６】
なお、ここまでは、２つの測温部（測温部１１，測温部１２（１２Ａ））が、ケース１０上において互いに離れた場所に配置されるものとしたが、２つの測温部は近接する場所に配置してもよい。
【０１０７】
例えば、図１０に示すように、測温部１２（１２Ａ）の代わりに、測温部１１と同じ構成の測温部１２Ｂを設け、ケース１０の先端に、これら測温部１１と測温部１２Ｂを近接配置した構成としてもよい。
【０１０８】
また、ここまでは、２つの測温部の性能（環境温度の変化に対する測定温度の応答性）が異なるものとしたが、２つの測温部の性能は同じとしてもよい。
【０１０９】
また、２つの測温部は、いずれも非接触式のものとしてもよい。
【０１１０】
また、第一の体温測定部１４Ａと第二の体温測定部１４Ｂ、いずれも予測式により体温を決定しているが、これらのうちの一方又は両方が実測式により体温を決定するものであってもよい。実測式の体温測定部では、環境温度を用いずに、測温部から得られる温度情報に基づいて体温を測定すればよい。
【０１１１】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１１２】
以上説明してきたように、本明細書には以下の事項が開示されている。
【０１１３】
開示された電子体温計は、被測定者の体温を測定する電子体温計であって、温度情報を検出する第一の測温部と、前記第一の測温部により検出される第一の温度情報を用いて前記体温を測定する第一の体温測定部と、温度情報を検出する第二の測温部と、前記第二の測温部により検出される第二の温度情報を用いて前記体温を測定する第二の体温測定部と、前記第一の温度情報と前記第二の温度情報との少なくとも一方に基づいて前記電子体温計の周囲の温度である環境温度を測定する環境温度測定部と、を備えるものである。
【０１１４】
開示された電子体温計は、前記第一の温度情報に基づく環境温度と前記第二の温度情報に基づく環境温度とに基づいて、前記第一の体温測定部及び前記第二の体温測定部の動作を制御する体温測定制御部を備えるものである。
【０１１５】
開示された電子体温計は、前記体温測定制御部は、前記第一の温度情報に基づく環境温度の変化と前記第二の温度情報に基づく環境温度の変化とに応じて、前記第一の体温測定部による体温測定のみを許可するモード、前記第二の体温測定部による体温測定のみを許可するモード、前記第一の体温測定部及び前記第二の体温測定部のそれぞれによる体温測定を許可するモード、前記第一の体温測定部及び前記第二の体温測定部のそれぞれによる体温測定を不許可とするモードのいずれかを設定するものを含む。
【０１１６】
開示された電子体温計は、前記第一の体温測定部及び前記第二の体温測定部のそれぞれによる体温測定を許可するモードにおいて、前記第一の体温測定部は、前記第一の温度情報と、前記第二の温度情報に基づく前記環境温度とを用いて体温を測定し、前記第二の体温測定部は、前記第二の温度情報と前記第一の温度情報に基づく前記環境温度とを用いて体温を測定するものを含む。
【０１１７】
開示された電子体温計は、前記第一の体温測定部による体温測定のみを許可するモードにおいて、前記第一の体温測定部は、前記第二の温度情報に基づく前記環境温度を非使用とし、前記第一の測温部により検出される第一の温度情報に基づいて体温を測定するものを含む。
【０１１８】
開示された電子体温計は、前記第二の体温測定部による体温測定のみを許可するモードにおいて、前記第二の体温測定部は、前記第一の温度情報に基づく前記環境温度を非使用とし、前記第二の測温部により検出される第二の温度情報に基づいて体温を測定するものを含む。
【０１１９】
開示された電子体温計は、前記体温測定制御部は、前記第一の温度情報に基づく前記環境温度と前記第二の温度情報に基づく前記環境温度との差が所定値以下のときに、前記第一の体温測定部及び前記第二の体温測定部のそれぞれによる体温測定を許可し、前記差が前記所定値を超えるときに、前記第一の体温測定部及び前記第二の体温測定部のそれぞれによる体温測定を禁止するものを含む。
【０１２０】
開示された電子体温計は、前記体温測定制御部は、前記差が所定値以下となるか否かの判定を、前記電子体温計の電源が投入されてから所定時間経過後と、前記第一の体温測定部及び前記第二の体温測定部のいずれかにより体温測定が行われてから所定時間経過後のタイミングで行うものを含む。
【０１２１】
開示された電子体温計は、前記第一の測温部と前記第二の測温部は、それぞれ異なる性能のものであるものを含む。
【０１２２】
開示された電子体温計は、前記第一の測温部は、接触式の測温部であり、前記第二の測温部は、物体から放射される赤外線を検出するセンサを含む非接触式の測温部であり、前記電子体温計の周囲の温度と略同じ温度となる部材で構成され、外部から入射してくる赤外線を遮断する位置と、前記外部から入射してくる赤外線を前記センサまで到達させうる位置との間で移動可能な部材とを備え、前記環境温度測定部は、前記赤外線を遮断する位置に前記部材が移動した状態で当該部材から放射される赤外線を前記センサにより検出して得られる温度情報から前記環境温度を測定するものである。
【符号の説明】
【０１２３】
１００  電子体温計
１１、１２  測温部
１４  制御部
１４Ａ  第一の体温測定部
１４Ｂ  第二の体温測定部
１４Ｃ  体温測定動作制御部
１４Ｄ  環境温度測定部
【図１】
2013190207.tif 000003
【図２】
2013190207.tif 000004
【図３】
2013190207.tif 000005
【図４】
2013190207.tif 000006
【図５】
2013190207.tif 000007
【図６】
2013190207.tif 000008
【図７】
2013190207.tif 000009
【図８】
2013190207.tif 000010
【図９】
2013190207.tif 000011
【図１０】
2013190207.tif 000012